Podtech/llm-jp-corpus-v4-ja_patent huggingface dataset:
(57)【要約】      （修正有）【課題】口臭や歯周病などを改善するための口腔洗浄剤収納缶と歯ブラシを提供する。【解決手段】収納缶は、水素ガス（Ｈ２）発生成分を含有する粉末状口腔洗浄剤の成分保持の為、アルミ製収納缶の上部開口部に３〜５ｍｍ程度の穴を開けたアルミ箔を設け、蓋にも同一位置に穴を開けたことを特徴とする。また、歯ブラシは、長手方向にＶ字状にカットされた植毛部４を有し、歯磨き時には、水素ガス（Ｈ２）発生成分含有口腔洗浄剤収納缶の蓋の穴の位置を合わせ歯ブラシの植毛部に設けた長手方向のＶ字状の空間に口腔洗浄剤を適量排泄させ、歯周ポケット１１へ毛先を当たり易くしたことを特徴とする。【選択図】図４
0003220641.tif 000002
【実用新案登録請求の範囲】
【請求項１】
口腔洗浄剤には水素ガス（Ｈ２）発生成分を含有しており成分保持の為、（１）アルミ製収缶を使用し上部開口部に３〜５ｍｍ程度の穴を開けたアルミ箔を設け、蓋にも同一位置に穴開け、（２）歯磨き時には穴の位置を合わせ、歯ブラシの植毛部長手方向にＶ字状の植毛を設けた空間に口腔洗浄剤を適量排泄させ、歯周ポケットへ毛先を当たり易くしたことを特徴とする水素ガス（Ｈ２）発生成分含有口腔洗浄剤収納缶と歯ブラシ。
【考案の詳細な説明】
【技術分野】
【０００１】  本考案は、年齢を問わず食事や生活習慣により口腔の不浄が口臭や歯周病などの歯科・口腔疾患に罹患する場合が多い。これらの歯・口腔疾患を治療するために水素ガス（Ｈ２）発生成分含有口腔洗浄剤収納缶と歯ブラシに関するものである。
【背景技術】
【０００２】  口臭防止や歯周病治療の為の口腔洗浄剤および歯磨き粉は、市場に多くの製品があるが、口腔洗浄剤収納缶と歯ブラシとの組合せによる効果的なものは無い。
【考案の開示】
【考案が解決しようとする課題】
【０００３】  本考案の目的は、粉末状の口腔洗浄剤を歯周ポケットへ効果的に作用させる為、歯ブラシの植毛部の改善を計る。【０００４】  前記、口腔洗浄剤の成分は水素ガス（Ｈ２）発生成分が粉末状で含有している為、水素ガス（Ｈ２）が拡散防止する為にアルミ製の収納缶を用いることが必要である。
【課題を解決するための手段】
【０００５】  通常使われている歯ブラシの植毛部繊維の束は、並列状に配置され４列植毛が一般的であるが、これを６列植毛にして長手方向にＶ字状にカットをいれる。【０００６】  前記、植毛部長手方向にＶ字状にカットした空間にアルミ製収納缶より、適量の水素ガス（Ｈ２）発生成分を付着し易いようにする。【０００７】  更に、ブラッシングすると歯の上部と歯周ポケットへ植毛先が接触し易くなり、粉末状の口腔洗浄剤が唾液とともに歯周ポケットへ流れ易くなる。
【考案の効果】
【０００８】  上述の様に、本考案と従来の歯ブラシと比較してＶ字状にカットされた植毛部にすることが歯周ポケット内まで容易に届き、増殖している様々な感染菌を掻き出し易くなる。【０００９】  口腔洗浄剤は、粉末状の水素ガス（Ｈ２）発生成分を含有していて、湿気や水分に触れて拡散しないようにアルミ製収納缶により抑制される。
【考案を実施するための最良の形態】
【００１０】  以下、本考案の実施形態を図１〜図４に基づいて説明する。【００１１】  図１に於いて、１は歯ブラシの本体で２は植毛部であり仮想線内にも同様の植毛が配設  され、３は歯ブラシの柄である。【００１２】  図２は植毛部４の長手方向にＶ字状にカットされた断面図である。【００１３】  図３の口腔洗浄剤９は粉末状であり、水素ガス（Ｈ２）発生成分を含有している為、７の蓋と５の収納缶はアルミ製であり、それぞれ上部に３〜５ｍｍ程度の穴８ａ・８を設けている。５の収納缶上部はアルミ箔６により形成されている。【００１４】  図４の１０は歯で、１１は歯周ポケットである。４のＶ字状にカットされた植毛部は、歯と歯周ポケットへ口腔洗浄剤を確実に挿入できるので歯周病菌など様々な病原菌を殺菌・排除できる。
【図面の簡単な説明】
【００１５】
【図１】本考案の歯ブラシの植毛部（仮想線含む）
【図２】本歯ブラシの植毛部のＶ字状にカットされた断面図
【図３】本口腔内洗浄剤の収納缶の一部切欠図
【図４】本歯ブラシと歯および歯周ポケットの使用状態を示す参考図
【符号の説明】
【００１６】  １    ブラシ本体部分図
２    歯ブラシの植毛部
３    歯ブラシの柄
４    Ｖ字状カットされた断面図
５    本口腔洗浄剤のアルミ製収納缶
６    アルミ製収納缶上部に取り付けたアルミ箔
７    アルミ製収納缶の蓋
８    アルミ製収納缶上部のアルミ箔に開けた穴
８ａ  アルミ製収納缶上部の蓋に開けた口腔内洗浄剤取り出し穴
９    粉末状の口腔洗浄剤
１０    歯
１１    歯周ポケット
【図１】
0003220641.tif 000003
【図２】
0003220641.tif 000004
【図３】
0003220641.tif 000005
【図４】
0003220641.tif 000006
【手続補正書】
【提出日】平成30年11月26日(2018.11.26)
【手続補正１】
【補正対象書類名】実用新案登録請求の範囲
【補正対象項目名】全文
【補正方法】変更
【補正の内容】
【実用新案登録請求の範囲】
【請求項１】
口腔洗浄剤を、水素ガス（Ｈ２）発生成分を含有しており成分保持の為、アルミ製収納缶に収納し、上部開口部に３〜５ｍｍ程度の穴を開けたアルミ箔を設け、蓋にも同一位置に穴を開けたことを特徴とする水素ガス（Ｈ２）発生成分含有口腔洗浄剤収納缶。
【請求項２】
請求項１に記載の水素ガス（Ｈ２）発生成分含有口腔洗浄剤収納缶と歯ブラシを組み合わせた口腔洗浄セットであって、前記歯ブラシは、長手方向にＶ字状にカットされた植毛部を有し、歯磨き時には、前記水素ガス（Ｈ２）発生成分含有口腔洗浄剤収納缶の蓋の穴の位置を合わせ歯ブラシの植毛部に設けた長手方向のＶ字状の空間に口腔洗浄剤を適量排泄させ、歯周ポケットへ毛先を当たり易くしたことを特徴とする口腔洗浄剤セット。
(57)【要約】      （修正有）【課題】プラスチックのストローが廃止になる代わりの植物ストローを提供する。【解決手段】自然植物である、円筒形のかや、よし、すすき、麦などの茎部分１が丸く空洞になっており節３の横４を切断して、植物ストロー５に加工する。【選択図】図１
0003220648.tif 000002
【実用新案登録請求の範囲】
【請求項１】
円筒形の植物で、かや、よし、すすき、麦は茎の中が枯れると丸く空洞になる事を利用して、それぞれの節の横を切断して、ストローに加工する事を特徴とする植物ストロー。
【考案の詳細な説明】
【技術分野】
【０００１】    本考案は、プラスチックから作るストローが廃止になる代わりになる植物ストローである。
【背景技術】
【０００２】    今までは、プラスチックから作るストローがほとんどであった。
【考案の概要】
【考案が解決しようとする課題】
【０００３】    自然の植物から作るストローなので、使用後は堆肥として土に戻ることで形が消滅する。
【課題を解決するための手段】
【０００４】    本考案は、自然の植物から筒系のすすき、麦などの茎が枯れると茎の中が丸く空洞になり、それぞれストローになる。
【考案の効果】
【０００５】      本考案により、プラスチックのストローから、植物ストローに変わる事でプラスチックストローで環境汚染を防げて、社会的にも満足していただける。
【図面の簡単な説明】
【０００６】  ▲１▼横から見た図面
【図１】  ▲２▼正面から見た図
【考案を実施するための形態】
【０００７】      円筒形のかや、よし、すすき、麦の茎は節と節で仕切られていており、節の横を切断する事でストローになる。
【実施例】
【０００８】      以下添付図面に従って、実施例を説明する。
円筒形のかや、よし、すすき、麦などの▲１▼茎の中が枯れると▲２▼丸い空洞になる事を利用して、▲３▼節と節▲４▼の横を切断する事により▲５▼植物ストローとなる。
【符号の説明】
【０００９】    ▲１▼茎▲２▼丸い空洞▲３▼節▲４▼節の横▲５▼植物ストロー
【図１】
0003220648.tif 000003
【図２】
0003220648.tif 000004
【手続補正書】
【提出日】平成31年1月18日(2019.1.18)
【手続補正１】
【補正対象書類名】明細書
【補正対象項目名】０００６
【補正方法】変更
【補正の内容】
【０００６】
【図１】横から見た図
【図２】正面から見た図
(57)【要約】      （修正有）【課題】苔の落下を防止し、且つ、長い期間、苔類を成育させることが可能となる苔類植物を用いた構造体を提供する。【解決手段】支柱などの支持体１のまわりに水苔３を保持する突起のついた網状の保持体２を設け、保持体の両面に水苔を付着させ、水苔の上に天然の苔類４を張り付けることにより構造体を成形する。【選択図】図１
0003220649.tif 000002
【実用新案登録請求の範囲】
【請求項１】
構造体を保持する支持体と、当該支持体のまわりに水苔を保持する突起のついた網状の保持体を設け、当該保持体の両面に水苔を付着させるとともに、当該水苔の上に苔類を張り付けることで構造体を成形することを特徴とする苔類植物を用いた構造体
【考案の詳細な説明】
【技術分野】
【０００１】本考案は、苔を用いた構造体に関するものである。
【背景技術】
【０００２】苔を用いた作品としては苔玉が知られている。その構造は、土を球状や塊状にまとめ、そこに苔類を貼り付け、針金や糸を巻きつけて成形される。
【先行技術文献】
【非特許文献】
【０００３】
【非特許文献１】
0003220649.tif 000003
【考案の概要】
【考案が解決しようとする課題】
【０００４】苔という植物は、他の植物と違って根っこがないので、苔玉のように、土の塊に何重にもしばりつけるようにして固定する必要がある。従って、苔の発育を阻害してしまうことが課題となっている。
【課題を解決するための手段】
【０００５】本考案は、支柱などの支持体のまわりに水苔を保持する突起のついた網状の保持体を設け、その保持体の両面に水苔を付着させ、水苔の上に天然の苔類を張り付けることにより構造体を成形することを特徴とする。
【考案の効果】
【０００６】突起のついた網状の保持体に張り付けることにより、苔の落下を防止し、且つ、水苔が水分を保持するため、長い期間、苔類を成育させることが可能となる。さらに、針金や糸などを用いることがないため、自然の状態のまま苔を維持することが可能となる。
【図面の簡単な説明】
【０００７】
【図１】本考案の構造体の実施例を示す正面断面図である。
【図２】本考案の構造体の実施例を示す平面断面図である。
【考案を実施するための形態】
【０００８】支柱などの支持体のまわりに水苔を保持する突起のついた網状の保持体を設け、その保持体の両面に水苔を付着させ、水苔の上に天然の苔類を張り付けることにより構造体を成形する。
【実施例】
【０００９】図１のように、塩化ビニルなどの素材の支持体１のまわりに突起のついた網状の保持体２を設ける。保持体２の両面に水苔３を絡めるようにまんべんなく全体に付ける。さらに保持体２の突起を利用しながら天然の苔４を付け構造体を成形する。
【符号の説明】
【００１０】１  支持体
２  保持体
３  水苔
４  苔類
【図１】
0003220649.tif 000004
【図２】
0003220649.tif 000005
(57)【要約】      （修正有）【課題】電源取出口を追加し、工具等の使用数を増やすことができる５ヶ口電源延長ケーブルを提供する。【解決手段】既存の３ヶ所の電源取出口から左右に直角にそれぞれ電源取出口を設けて、５ヶ所に増やす。大工作業に役立つ。【選択図】図３
0003220876.tif 000002
【実用新案登録請求の範囲】
【請求項１】
電源延長ケーブルの電源取出口を既存の３ヶ口取出しケーブルの電源取出口から、左右に直角になるようにそれぞれ電源取出口を設けたことを特徴とする５ヶ口電源延長ケーブル。
【考案の詳細な説明】
【技術分野】
【０００１】  本考案は、電源延長ケーブルに関するものである。
【背景技術】
【０００２】  電源延長ケーブルの取出口が３個以上のものは、殆んど無かった。
【考案の開示】
【考案が解決しようとする課題】
【０００３】  電源取出口の数を増やすことで前途の欠点を解決しようとするものである。
【課題を解決するための手段】
【０００４】  既存の３つの電源取出口から直角方向にそれぞれ左右に１つ電源取出口を設け、問題点を解決している。
【考案の効果】
【０００５】  上途のように電源取出口を増やすことで、大工作業の折、必要な工具に電源を供給することができる。
【考案を実施するための最良の形態】
【０００６】  電源取出口の方向を２方向追加する。
【実施例】
【０００７】  以下、添付図面に従って実施例を説明する。１のように、既存の電源取出口から直角にそれぞれ電源取出口を付ける。【０００８】  本考案の実施例は、上途の如き構成からなるものである。
【図面の簡単な説明】
【０００９】
【図１】正面図
【図２】側面図
【図３】外形図
【符号の説明】
【００１０】  １  電源取出口
【図１】
0003220876.tif 000003
【図２】
0003220876.tif 000004
【図３】
0003220876.tif 000005
(57)【要約】      （修正有）【課題】自転車走行時におけるスカートへの雨滴付着の恐れのないレインカバーを提供する。【解決手段】撥水性および非通水性布体にて所定巾円弧状のカバー本体１を設け、該カバー本体１の表側上部適所に面ファスナー３を設け、カバー本体１の裏面上部適所に面ファスナーを設けたカバー本体１の端面角度は、端面を重ね合わせたときに、重ね合わせ部分下方に、非重ね合わせ部が発生するように選定される。【選択図】図３
0003220874.tif 000002
【実用新案登録請求の範囲】
【請求項１】
撥水性および非通水性布体にて所定巾円弧状のカバー本体を設け、該カバー本体の表側上部適所に面ファスナーを設け、カバー本体の裏面上部適所に面ファスナーを設けたことを特徴とする自転車用スカートレインカバー。
【請求項２】
カバー本体の端面を重ね合わせたときに，非重ね合わせ部が発生するように、端面角度を選定してなる請求項１記載の自転車用スカートレインカバー。
【請求項３】
面ファスナーに代えてスナップを設けてなる請求項１または２記載の自転車用スカートレインカバー
【考案の詳細な説明】
【技術分野】
【０００１】  この考案は、スカート着用にて雨天時に自転車にて走行する場合において、スカートを雨から保護するためのレインカバーに関する。
【背景技術】
【０００２】  従来より、雨天時に着用するものとして雨合羽があるが、スカート専用のレインカバーは見当たらない。
【考案の概要】
【考案が解決しようとする課題】
【０００３】  既述の雨合羽は体全体を覆う雨具であるが、自転車専用ではない。
体の前部もこの雨合羽で覆われるために、自転車用としては不適切な部分がある。
自転車はペダルを漕いで運行するものであるため、膝が動き、雨合羽はこの膝の動きを妨げるものであり、自転車のスムースな走行が妨げられるという問題を有している。
また、スカートを着用しての自転車走行においては，女性はこのスカートが濡れるのを非常に嫌うが、これに対処可能な適切な手段が見当たらないのが現状である。
本案は以上に鑑み、スカート専用のレインカバーであるとともに、スムースな自転車走行を可能とする、新規かつ有用なる用具を提供することを目的として発案されたものである。
【課題を解決するための手段】
【０００４】  課題を解決する手段として本案は以下の構成とした。
すなわち、本案の第一は、撥水性布体にて所定巾円弧状のカバー本体を設け、該カバー本体の表側上部適所に面ファスナーを設け、カバー本体の裏面上部適所に面ファスナーを設けたことを特徴とする自転車用スカートレインカバーである。
本案の第二は、カバー本体の端面を重ね合わせたときに，非重ね合わせ部が発生するように、端面角度を選定してなる自転車用スカートレインカバーである。
【考案の効果】
【０００５】  本案によれば、撥水性布体にて使用者の腰回りをすっぽりと覆うため、スカートを雨から保護することができ、また、面ファスナーでの係着のため、その着脱も容易である。
また、カバー本体の端面角度は、重ね合わせたときに、その下方に非重ね合わせ部が発生するように選定されているので、自転車走行時の膝の動きに支障が無く、楽に走ることができる。不使用時にはコンパクトに折り畳んで収納することができる。
【図面の簡単な説明】
【０００６】
【図１】本考案の表面図（展開時）
【図２】本考案の裏面図（展開時）
【図３】本考案の装着状態説明図
【図４】本考案の使用状態説明図
【考案を実施するための形態】
【０００７】  以下、本考案の実施形態について説明する。
図において、１はカバー本体で撥水性および非通水性布体にて所定巾の円弧状に形成したものである。
２は補強部で、所定巾に布体を縫合添設した部分である。３は表側面ファスナーで、補強部の左端近傍に縫着される。４は裏側面ファスナーで、カバー本体裏面の左端近傍の補強部に縫着される。なお、この裏側面ファスナーは表側面ファスナーに比べて短く形成される。使用時にはその面ファスナーを相互に係着して用いる。
カバー本体の端面角度は、この端面を重ね合わせたときに、その重ね合わせ部下方に、非重ね合わせ部が発生するように選定される。
【０００８】  本案の使用に際しては、使用者の腰回りに本品の上部をあてがい、互いの面ファスナー係着にて人体に保持される。この状態において、図３にて示されるように、カバー本体前部の下方は重なっておらず、膝の動きを妨げることはない。また、カバー本体の後部は腰をすっぽりと覆い、従って、スカート全体を覆うこととなって腰からサドルまでは濡れないようにカバーされ、サドルから下は自由に足が動かせて走行操作を楽に行うことができる。本品の不使用時は、コンパクトに折り畳んで収納することができる。
【０００９】  以上、本案について記したが、本案は自転車走行時に使用者のスカートを雨から保護するものである。従来は既述のように、走行車の体全体を覆う雨合羽しかなく、膝部分に余裕がなく，ペダルを漕ぐ膝の動きが抑制されるものであった。
しかし、本案では腰回りへの装着という簡易性を有し、また、着用時の前部下方は非重なり部分を有して、ペダルを漕ぐときの膝の動きに支障が無く、楽に走行することができるのである。この非重なり部分は、前面長の中心からやや下方に位置するのが望ましく、これが中心より上方になると、前開き部分のために膝の露出部分が増えて雨に濡れることとなり、逆に下方過ぎるとこんどは膝の動きに支障が出ることとなるために、上述の位置としたものである。
なお、表側面ファスナーは長く、裏側面ファスナーを短く設けたので、使用者のウエストサイズに適合させることができる。
また、既例においては面ファスナー係着としたが、これに代えてスナップ止めとしてもよい。カバー本体表面を着色とし裏面を白色とすれば、着用時に区別が付きやすい
以上のごとく、本案によってスカートへの雨滴付着の恐れのない有用なる物品を得ることができる。
【符号の説明】
【００１０】  １  カバー本体
２  補強部
３  表側面ファスナー
４  裏側面ファスナー
【図１】
0003220874.tif 000003
【図２】
0003220874.tif 000004
【図３】
0003220874.tif 000005
【図４】
0003220874.tif 000006
(57)【要約】      （修正有）【課題】入浴後に着用することに特化し、足の指が蒸れるのを解消する靴下を提供する。【解決手段】足の指先部を覆わず、あえて空気にさらす形状にする。【選択図】図２
0003220872.tif 000002
【実用新案登録請求の範囲】
【請求項１】
入浴後に着用することに特化し、足の先端を包まない形状にした靴下
【考案の詳細な説明】
【技術分野】
【０００１】靴下の新しい形状
【背景技術】
【０００２】製造技術的には、足先部がないので容易である。
【考案の概要】
【考案が解決しようとする課題】入浴後に一般的な靴下を着用すると、指先が蒸れて水虫などのトラブルの原因となるのを解決する。
【課題を解決するための手段】靴を履かないときは、足先を必ずしも覆う必要はなく、通気性のよい解放構造にする。
【考案の効果】保温性を確保した上で、通気性を担保することができるため、足指の手入れが容易である。さらに、スリッパを脱着する場合、指先の感覚、自由が利いてそれが容易になる。
【図面の簡単な説明】
【図１】湯上りに特化した靴下
【図２】考案した靴下を着装した状態
【図１】
0003220872.tif 000003
【図２】
0003220872.tif 000004
(57)【要約】      （修正有）【課題】突起して削り作業を妨げていた止め土が不要になり、下部の削り作業が可能となる陶芸削り用回転式押さえ板を提供する。【解決手段】円形で中央部に突起を有する押さえボタン２と、ベアリング３と、円形で中央部にベアリング３と勘合可能な内径穴を有するベアリングケース４から成り、押さえボタン２の突起部とベアリング３内径とを勘合させ、ベアリング３をベアリングケース４に勘合させた。【選択図】図１
0003220882.tif 000002
【実用新案登録請求の範囲】
【請求項１】
円形で中央部に突起を有する押さえボタンと、ベアリングと、円形で中央部にベアリングと勘合可能な内径穴を有するベアリングケースから成り、押さえボタンの突起部とベアリング内径とを勘合させ、前記ベアリングをベアリングケースに勘合させた事を特徴とする陶芸削り用回転式押さえ板。
【請求項２】
前記ベアリングケースをはめ込む事ができるはめこみ部を有するアタッチメントをさらに設けた事を特徴とする請求項１に記載の陶芸削り用回転式押さえ板。
【請求項３】
前記ベアリングケースと陶芸作品の接触面にはすべり止めを目的とする溝加工を施し、前記押さえボタンには指との接触面に同意の溝加工を施すとともに中心部にくぼみをもうけて着色、又は突起をもうけ回転運動の中心軸を目と指で導き出せる事を特徴とする請求項１又は２に記載の陶芸削り用回転式押さえ板。
【考案の詳細な説明】
【技術分野】
【０００１】  陶芸成形の道具に関する。
【背景技術】
【０００２】  陶芸の第２行程となる削り作業は、半乾きした粘土の底を上に第１工程で成形した口べりを下にして、止め土を用いて、ロクロに固定し、カンナで高台、外周部分を削り、作品として完成させる。
【先行技術文献】
【特許文献】
【０００３】
【特許文献１】実用新案登録第３１２３６１３号公報
【考案の概要】
【考案が解決しようとする課題】
【０００４】  削り作業において上部の高台部分は、止め土の固定により削りやすいが、それより下部は止め土にカンナが当たり、削りにくくなる。高さの無い皿などの削りは顕著であり、下部の削りをどうするかが課題であった。また高台径の違う器にどう対応するかも課題であった。
【課題を解決するための手段】
【０００５】  高台の外径、内径の削りを完成させ、止め土を取り除いた後、高台の上に本件のベアリングを内蔵した回転式押さえ板を置き、指で押さえ、下方向に力を入れる。これにより粘土はロクロに固定され、下部の削りを可能にする。本品にアタッチメントを装着することで、違う高台径の作品にも対応できる。
【考案の効果】
【０００６】  ベアリングを内蔵した回転式押さえ板を高台上に置き、押さえる事により、突起して削り作業を妨げていた止め土が不要となり、下部の削り作業が可能となる。また、作業を中断して本品を外すだけで、作品の重量や厚みの確認が簡単にでき、初心者にも高品質、多品種の作陶が期待できる。回転式なのでロクロの円運動は指先のボタン部分には伝わらず、静止しているため指への負担は無く作業ができる。
【図面の簡単な説明】
【０００７】
【図１】本考案の回転式押さえ板本体の部品図である。
【図２】本考案本体の立体図である。
【図３】本考案本体の断面図である。
【図４】本考案本体の陶芸品との接触面図である。
【図５】本考案アタッチメントの立体図である。
【図６】本考案本体とアタッチメント接続後の立体図である。
【図７】本考案本体とアタッチメント接続後の断面図である。
【図８】本考案の押さえ板を使用した削り作業の断面図である。
【考案を実施するための形態】
【０００８】  図１は本考案回転式押さえ板１の部品構成図であり、押さえボタン２の突起部をベアリング３の内径に勘合させるとともにベアリングケース４の内径に前記のベアリング外径を勘合させ回転式押さえ板となる事でベアリングケース４は回転していても押さえボタン２は回転しない。図５は回転式押さえ板と勘合可能な内径を有するアタッチメント５であり図６はアタッチメント５の内径に回転式押さえ板１の外径を勘合したものである。
【０００９】  本考案の回転式押さえ板は素材に軽量金属アルミニウムを用いる事により内、外径の精密加工のみならず溝、ネジ加工も可能になり、押さえボタン２の指との接触面や図４のベアリングケース４の陶芸作品との接触面にはすべり止め溝加工を施すことができる。又図３や図７には止めネジ６を締める事により確実に押さえ板が固定される事になる。
【００１０】  陶芸削り作業では作品を回転軸中心に置く事が重要であり高い技術を必要としていたが、本考案の押さえボタン２の中央部に点状のくぼみを作りその上に塗装で着色し目視できる様に加工する、又は中央部に小さい突起を作り指先に触感を伝達する事が可能な中心点１０をもうけ回転させる事により中心軸が導き出される。図８の作品高台８の上に同径の回転式押さえ板１を同芯となる様に置き回転させる。この時陶芸作品７の芯が出ていない時は中心点１０はぶれているので陶芸作品７を移動修正し中心点１０が静止している様に見える状態にする。以上の作業で作品の中心軸を求める事ができ均等な削り作業が可能になる。
【符号の説明】
【００１１】  １  回転式押さえ板
２  押さえボタン
３  ベアリング
４  ベアリングケース
５  アタッチメント
６  止めネジ
７  陶芸作品
８  作品の高台部分
９  口クロ台
１０  押さえボタンの中心点
【図１】
0003220882.tif 000003
【図２】
0003220882.tif 000004
【図３】
0003220882.tif 000005
【図４】
0003220882.tif 000006
【図５】
0003220882.tif 000007
【図６】
0003220882.tif 000008
【図７】
0003220882.tif 000009
【図８】
0003220882.tif 000010
(57)【要約】【課題】組立や設置に手間がかからず、使用や収納にも場所を取らず、さらに難易度の変化を加えることのできる卓球練習器を提供する。【解決手段】土台・弾性体、球という簡素な構造を取った。土台に弾性体を取付け弾性体のもう一方に球を取り付けるだけで使用ができる。組立や設置にかかる手間はほとんど発生しない。使用に必要とするスペースもごく少数である。また、弾性体の任意の場所にカバーを取り付けることでしなり具合に変化が加わる為、難易度の調整が可能である。【選択図】図１
0003220861.tif 000002
【実用新案登録請求の範囲】
【請求項１】
土台、弾性体、球、弾性体に取り付けるカバーや重りから成り、土台に弾性体を取付け、弾性体のもう一方に球を取りつけて使用する卓球練習器。
【請求項２】
弾性体の任意の場所にカバーや重りを取り付けて難易度の調整が可能な卓球練習器。
【考案の詳細な説明】
【技術分野】
【０００１】
本考案はスポーツやレクリエーションとして多くの人々に親しまれている卓球の練習道具に関する。
【背景技術】
【０００２】
近年、日本では卓球競技で活躍する選手が増加傾向にある。国際大会で優勝するという事例も多く出ており、国内での卓球熱が強まりつつある。それを受けて、レクリエーションで卓球を行ったり、本格的に競技に身を投じる人々も増えてきている。
【考案の概要】
【考案が解決しようとする課題】
【０００３】
このような状況の中で、狭い室内で練習するための道具や一人で練習する為の道具が発明、販売されるようになった。しかし、道具はどれも組立や設置が難しく、構造も複雑なことから高額な物が多かった。また、これまでの練習器において、相手がいなくても一人でできるものはあったが、実力に応じて難易度を上げるということができる物は未だ発明されていない。
【課題を解決するための手段】
【０００４】
本考案は、土台・弾性体・球を組み合わせた非常に簡素な構造にした。
【０００５】
本考案は土台に弾性体を取付け、弾性体のもう一方に球を取り付けるという非常に簡単な作業で組み立てられる。
【０００６】
練習時は本考案単体の使用ができる。そのため、設置するための卓球台やそれに準ずる物の準備は不要である。
【０００７】
本考案は小型な土台から真っすぐに弾性体が伸びた構造であり、使用する際に広い場所を全く必要としない。部品は組立同様に簡単に取り外しができるため、分解すれば小さな道具箱1個あれば保存ができるようになっている。
【０００８】
また、弾性体の一部にカバーや重りを付ける事で弾性体のしなりの程度を調節することができる。これによって返球のスピードや強さが変わる。そのため、練習に変化が加わり、レベルや年齢に合わせた練習・レクリエーションができる。
【０００９】
球を打った時の衝撃はほとんど弾性体が吸収するため、土台が倒れる恐れはまずない。その為、使用中に土台が倒れる度に何度も元に戻すという手間は生じない。
【００１０】
本考案を構成する土台・弾性体・球・重りは基本的に既存品もしくは既存品に一部加工をした物である。その為、生産コストも安価に抑えられるので低価格での販売が可能となっている。
【００１１】
以上の要素から簡単に組立や設置ができ、使用にも収納にも場所を取らず難度の調整もできる卓球練習器の提供を可能にした。この発明により、多くの人が勢いのある卓球という競技に本格的に、あるいはレクリエーション目的で取り組むことができる。
【図面の簡単な説明】
【００１２】
【図１】本考案の全体図を示す図である。
【図２】本考案の各部名称を示す図である。
【考案を実施するための形態】
【００１３】
本考案は土台、弾性体、球と弾性体のカバー及び重りから成る。土台に弾性体を取付け、弾性体のもう一方に球を取り付ける。必要に応じて弾性体の任意の場所にカバーや重りを取り付ける。
【００１４】
弾性体は鉄もしくはプラスチック、木などを原材料とする。
【図１】
0003220861.tif 000003
【図２】
0003220861.tif 000004
【手続補正書】
【提出日】平成31年1月29日(2019.1.29)
【手続補正１】
【補正対象書類名】実用新案登録請求の範囲
【補正対象項目名】全文
【補正方法】変更
【補正の内容】
【実用新案登録請求の範囲】
【請求項１】
土台、弾性体、球、並びに弾性体に取り付けるカバー、若しくは、重りとから成り、前記土台に前記弾性体の一端を取付け、前記弾性体の他端に前記球を取り付けて使用する卓球練習器。
【請求項２】
前記弾性体の任意の場所にカバー、若しくは、前記重りを取り付けたことを特徴とする請求項１記載の卓球練習器。
(57)【要約】【課題】  印矩定規等の追加的補助具を用いずとも、ハンコ胴体事態に備わるガイド機能部即ち押印整姿ガイドによって、大事な賞状等の押印作業が格段に手早く、正確に、無駄を出さずに、仕上げられる押印整姿ガイド付き印鑑を提供する。【解決手段】  ハンコ胴体の前方壁面から直交的に突き出た伸縮式棒体で成る押印整姿ガイドを備え、ガイド先端を最長にまで伸ばして、ガイド体の長さと先端を押印箇所の文字行列中心に当てると、ハンコ胴体自身が押印箇所において真っ直ぐ歪み傾きなく整姿状態を保って、正確な押印が出来ることを特徴とする押印整姿ガイド付き印鑑。【選択図】図１
0003220869.tif 000002
【実用新案登録請求の範囲】
【請求項１】
ハンコ胴体において、印字方向側となる前方壁の下端手前域の中央部に、前方壁面に直交的に胴体厚みの半ば辺まで根元を埋め込まれて、前方壁面から外へ直進して数センチ突き出した伸縮式棒体、即ち押印整姿ガイドを設けてあり、この押印整姿ガイドの先端を一杯に引き出し伸ばして、その先端を押印する行文字列の中心に合わせて押印すれば、印影がブレず、傾かず、押印領域に正確な印影が押せることを特徴とする押印整姿ガイド付き印鑑。
【請求項２】
押印整姿ガイドは、同じ位置即ち前方壁下端手前位置において、縦中央に上下端に渡って設けられた円弧状の溝即ちガイド収納溝に根元を軸止めされ、前方へ上下９０°回動する形で設けてあっても、全く同じ使い方で同じ効果が得られることを特徴とする請求項１に記載の押印整姿ガイド付き印鑑。
【考案の詳細な説明】
【技術分野】
【０００１】  本考案は、ハンコを正確に簡単に押すことの出来る押印整姿ガイド付き印鑑に関するものである。
【背景技術】
【０００２】  従来、賞状や書道作品等に押印する際には、カスレが出ぬように朱肉を十分に付け、ブレないように、Ｔ型やＬ型の印矩定規が利用されることが多かった。
【考案の概要】
【考案が解決しようとする課題】
【０００３】  その場合、押印しようとする文字行列の中心に対して、印影がズレたり傾いたりしてないかは、目検討に頼らざるを得ず、どうしても正確性を欠くことが避けられず、何枚も何枚も押し直して無駄にすることが避けられなかった。
又、押印時にブレない様に、ハンコの二側面を印矩定規に強く密着させるため、たっぷり付けられた朱肉や印泥が印矩定規を伝って、大切な紙面に滲んで汚してしまうケースが多かった。
本考案は、以上の様な問題点を解決しようとするものである。
【課題を解決するための手段】
【０００４】  略四角柱状のハンコ胴体において、四方側面壁の内の一つ、即ち印字方向側となる前方壁の下端手前域の中央部に、前方壁面に直交的に胴体厚みの半ば辺まで根元を埋め込まれて、前方壁面から外へ直進して数センチ突き出した伸縮式棒体、即ち押印整姿ガイドを設けてある。
この押印整姿ガイドは、同じ位置即ち前方壁下端手前位置において、縦中央に上下端に渡って設けられた円弧状の溝即ちガイド収納溝に根元を軸止めされ、前方へ上下９０°回動する形で、設けてあっても、全く同じ使い方で同じ効果が得られる。
以上を特徴とする押印整姿ガイド付き印鑑である。
【考案の効果】
【０００５】（イ）押印箇所の文字行列の中心に押印整姿ガイドの先端を合わせるだけで、ズレも傾き    もない正確な印影が押される。
（ロ）賞状に押印する場合にも、何枚もの押し直しの無駄が全くなくなる。
（ハ）印矩定規使用の場合の様な、朱肉や印泥の汚れやシミが付く心配がない。
（ニ）重要な書類の仕上げになる押印に際し、失敗を許されない重圧感から解放される。
【図面の簡単な説明】
【０００６】
【図１】  本考案の外観斜視図
【図２】  本考案の使用状態を示すイメージ平面図
【図３】  本考案の別の実施例において、押印整姿ガイドを収納した状態を示す斜視図
【図４】  図３に示される本考案の実施例において、押印整姿ガイドを引出して、使用準備完了した状態を示す斜視図
【考案を実施するための形態】
【０００７】  以下、本考案の実施の形態、使用方法を説明する。
略四角柱状のハンコ胴体（１）において、四方側面壁の内の一つ、即ち印字方向側となる前方壁（２）の下端手前域の中央部に、前方壁（２）面に直交的に胴体（１）厚みの半ば辺まで根元を埋め込まれて、前方壁（２）面から外へ直進して数センチ突き出した伸縮式棒体、即ち押印整姿ガイド（３）を設けてある。
この押印整姿ガイド（３）は、同じ位置即ち前方壁（２）下端手前位置において、縦中央に上下端に渡って設けられた円弧状の溝即ちガイド収納溝（４）に根元を軸止めされ、前方へ上下９０°回動する形態で設けてあっても、全く同じ使い方で同じ効果が得られる。
本考案は、以上の様な構成である。
以下、本考案の具体的な使用方法を説明する。
これを使用する時は、押印整姿ガイド（３）のガイド先端（５）を引き出し、押印整姿ガイド（３）を長さ分一杯にを押印箇所の文字行列（６）の中心部に重ね合わせる様に当てがうと、ハンコ胴体（１）は自ずと真っ直ぐ前方を向き、文字行列（６）に対して歪みやズレがない姿勢で立ち上がっているので、上から圧を加えれば望み通りの印影が得られる。
非使用時には、伸長された押印整姿ガイド（３）を最小に縮めて保管すればよい。
ガイド収納溝（４）型の場合には、押印整姿ガイド（３）をハンコ胴体（１）の高さ程までに縮めて、前方から縦に９０°回動直立させてガイド収納溝（４）に収めた形で保管すれば、嵩張ることもない。
斯くして、従来の様に朱肉や印泥で紙面を汚したり、神経張りつめてせっかくきれいに押印にこぎつけたのに、よく見ると印影がゆがんでいたりして、何枚も何枚も無駄を出し、イライラを募らせるようなことが全くなくなり、終始軽やかに気分よく短時間で作業が完結出来る。
【符合の説明】
【０００８】    １  ハンコ胴体
２  前方壁
３  押印整姿ガイド
４  ガイド収納溝
５  ガイド先端
６  文字行列
【図１】
0003220869.tif 000003
【図２】
0003220869.tif 000004
【図３】
0003220869.tif 000005
【図４】
0003220869.tif 000006
(57)【要約】      （修正有）【課題】従来の風船の機能が低く、活用するのに制限があった欠点を除いて、空中に浮遊するおもちゃとして簡単に活用できる携帯型係留風船を提供する。【解決手段】手動用空気ポンプ１で空気をグラファイト（カーボン）シート２の風船に有る空気取込口３から供給し蓋４を閉じる。グラファイト（カーボン）シート２の外側にプラスチック棒５とアルミ箔板６及び表面が金属のネオジム磁石７をＮ極側とＳ極側対称に両面接合シール８で装着する。中心に穴を開けたアルミ箔円形盆９をプラスチック棒５へ通して、プラスチック固定キャップ１０で調整する。電源１１の本体１２及び防水電源コード１３を両面接合シール８で装着する。電源ＳＷ１４を操作して、アルミ箔円形盆９をネオジム磁石７のつくる磁界から一定の向きにローレンツ力で回転させ、複数の空気取入口１５から吸引した風による揚力で空中に浮遊させロープ１６により任意の高さを杭１７で固定する。【選択図】図１
0003220860.tif 000002
【実用新案登録請求の範囲】
【請求項１】
グラファイト（カーボン）シートを含んで構成される携帯型係留風船であって、ネオジム磁石及び浮遊構造物が前記グラファイト（カーボン）シートの外側に両面接合シールで装着されることを特徴とする携帯型係留風船
【考案の詳細な説明】
【考案の詳細な説明】
【技術分野】
【０００１】  おもちゃ分野
【背景技術】
【０００２】  従来、紙やゴム及び塩化ビニル等を用いた、気密性の袋に空気又は、空気よりも軽い不活性気体のヘリウムガスを充填して、空中に浮遊させていたが、風船としての機能が低く、活用するのに制限があった。
【考案の開示】
【考案が解決しようとする課題】
【０００３】  本案は、その欠点を除いて、しかも機能を活かした風船を開発しようとするものである。
【課題を解決するための手段】
【０００４】  いま、その解決手段を図面を追いながら説明すれば
（イ）  手動用空気ポンプ（１）で空気をグラファイト（カーボン）シート（２）の風船に有る空気取込口（３）から供給し蓋（４）を閉じる。
（ロ）  グラファイト（カーボン）シート（２）の外側にプラスチック棒（５）とアルミ箔板（６）及び表面が金属のネオジム磁石（７）をＮ極側とＳ極側対称に両面接合シール（８）で装着する。中心に穴を開けたアルミ箔円形盆（９）をプラスチック棒（５）へ通して、プラスチック固定キャップ（１０）で調整する。
電源（１１）の本体（１２）及び防水電源コード（１３）を両面接合シール（８）で装着する。
（ハ）  電源ＳＷ（１４）を操作して、アルミ箔円形盆（９）をネオジム磁石（７）のつくる磁界から一定の向きにローレンツ力で回転させ、複数の空気取入口（１５）から吸引した風による揚力で空中に浮遊させロープ（１６）により任意の高さを杭（１７）で固定する。
【考案の効果】
【０００５】  本案は、以上のような構造であるから、これを使用する事により、空中に浮遊するおもちゃとして、簡単に活用できる係留風船である。
【考案を実施するための最良の形態】
【実施例】
【０００６】  なお、本案の実施にあたって次の如きことができる。
（イ）  アルミ箔円形盆（９）をネオジム磁石（７）のつくる磁界から一定の向きにローレンツ力で回転させ、揚力で空中に浮遊する事ができる。
【図面の簡単な説明】
【０００７】
【図１】  本考案の風船の正面図
【符号の説明】
【０００８】（１）手動用空気ポンプ  （２）グラファイト（カーボン）シート  （３）空気取込口  （４）蓋  （５）プラスチック棒  （６）アルミ箔板  （７）ネオジム磁石  （８）両面接合シール  （９）アルミ箔円形盆  （１０）プラスチック固定キャップ  （１１）電源  （１２）本体  （１３）防水電源コード  （１４）電源ＳＷ  （１５）空気取入口  （１６）ロープ  （１７）杭
【図１】
0003220860.tif 000003
(57)【要約】      （修正有）【課題】エアコンのリモコンセットを提供する。【解決手段】２つのエアコンのリモコンからなる。【選択図】図１
0003220834.tif 000002
【実用新案登録請求の範囲】
【請求項１】
エアコンのリモコンを二つセットで販売する
これにより一つのリモコンが壊れたときに、またエアコンを丸ごと買い替えないで、済む事を目的としている。
【考案の詳細な説明】
【技術分野】
【０００１】この考案はエアコンのリモコンを二つセットにすることで、エアコンを買い替える必要をなくす。
【背景技術】
【０００２】この考案は、エアコンのリモコンを二つセットにすることで便宜がある。【０００３】エアコンのリモコンを二つセットにすることで、水に濡れたり、踏んだり壊れた時に役立つ
【考案が解決しようとする課題】
【０００４】自転車の合鍵のように、エアコンのリモコンを二つセット
【考案が解決するための手段】
【０００５】エアコンのリモコンを二つで販売
【考案の効果】
【０００６】エアコンのリモコンが一つが壊れてももう一つリモコンがある。
【図面の簡単な説明】
【０００７】
【図１】エアコンのリモコンを略図
【符号の説明】
【０００８】▲１▼  運転切換
▲２▼  温度
▲３▼  風量切換
▲４▼  運転
▲５▼  停止
▲６▼  タイマー
【図１】
0003220834.tif 000003
【手続補正書】
【提出日】平成30年10月9日(2018.10.9)
【手続補正１】
【補正対象書類名】実用新案登録請求の範囲
【補正対象項目名】全文
【補正方法】変更
【補正の内容】
【実用新案登録請求の範囲】
【請求項１】
二つのリモコンをセットで販売することにより、リモコン操作で、冷房、暖房などをかける時、一つ壊れた時に、同じリモコンなので、また、冷房、暖房を付ける時、一つふんだり、水につけたりして一つこわれた時、今までは一つのエアコンに、一つのリモコンを販売していたので、二つセットで販売すれば、先程も書いた様に、一つのリモコンをなくしたり、こわした時に丸ごこエアコンを買い替えないで、済むことをこの実用新案は目的としています。以上
【手続補正書】
【提出日】平成30年11月21日(2018.11.21)
【手続補正１】
【補正対象書類名】実用新案登録請求の範囲
【補正対象項目名】全文
【補正方法】変更
【補正の内容】
【実用新案登録請求の範囲】
【請求項１】
冷房、暖房、エアコンを付ける時、リモコン操作で、一つのリモコンが、ふんだり、なくしたり、水につけたりしたりして、壊れたりした時、二つリモコンがあれば、すぐに、エアコンを付けられるので、二つあると、便利性があることを目的としている。
【手続補正書】
【提出日】平成31年1月12日(2019.1.12)
【手続補正１】
【補正対象書類名】実用新案登録請求の範囲
【補正対象項目名】全文
【補正方法】変更
【補正の内容】
【実用新案登録請求の範囲】
【請求項１】
２つのエアコンのリモコンからなるリモコンセット。
(57)【要約】      （修正有）【課題】ペンや携帯電話やスマートフォンや携帯音楽プレーヤーを落としにくい、長い胸ポケットを提供する。【解決手段】ペンや携帯電話、スマートフォン、携帯音楽プレーヤーを落ちないように、シャツ３などのポケット１の底を深くして、長さ（高さ）を１３センチ以上１７センチ以下の略長方形状にした。【選択図】図１
0003220840.tif 000002
【実用新案登録請求の範囲】
【請求項１】
長い胸ポケット。
【考案の詳細な説明】
【技術分野】
【０００１】  この考案は、ペンや携帯電話やスマートフォンや携帯音楽プレーヤーを、落としにくい、長い胸ポケットに関するものである。
【背景技術】
【０００２】  従来、胸ポケットは、お飾り程度で、ペンや携帯電話やスマートフォンや携帯音楽プレーヤーを入れられる、長い胸ポケットが無かった。
【考案の概要】
【考案が解決しようとする課題】
【０００３】  これは、次のような欠点があった。
従来、胸ポケットは底が浅く、ペンや携帯電話やスマートフォンや携帯音楽プレーヤーを、落とし易かった。
本考案は、以上のような欠点をなくすためになされたものである。
【課題を解決するための手段】
【０００４】  胸ポケットを長くする。
本考案は、以上の構成よりなる、長い胸ポケットである。
【考案の効果】
【０００５】  ペンや携帯電話やスマートフォンや携帯音楽プレーヤーを入れる胸ポケットが長くなり、落としにくい。
【図面の簡単な説明】
【０００６】
【図１】  本考案の長い胸ポケットである。
【図２】  従来の短い胸ポケットである。
【考案を実施するための形態】
【０００７】  以下、本考案を実施するための形態について説明する。
長い胸ポケットを付ける。
本考案は、以上のような構成である長い胸ポケットである。
長い胸ポケットを付けるので、底が深くなり、ペンや携帯電話やスマートフォンや携帯音楽プレーヤーを、落としにくい。
【符号の説明】
【０００８】  １  長い胸ポケット
２  従来の胸ポケット
３  服
【図１】
0003220840.tif 000003
【図２】
0003220840.tif 000004
【手続補正書】
【提出日】平成31年1月21日(2019.1.21)
【手続補正１】
【補正対象書類名】実用新案登録請求の範囲
【補正対象項目名】全文
【補正方法】変更
【補正の内容】
【実用新案登録請求の範囲】
【請求項１】
ペンや携帯電話、スマートフォン、携帯音楽プレーヤーを落ちないように、シャツなどのポケットの底を深くして、長さ（高さ）を１３センチ以上１７センチ以下の略長方形状にした長い胸ポケット。
(57)【要約】      （修正有）【課題】手に収まる様な、コンパクトなサイズの、短い筆記用具を提供する。【解決手段】鉛筆、万年筆、シャープペンシル、ボールペン、又はサインペンの筆記用具１であって、全体の長さが手３の平に納まる大きさで、コンパクトなサイズの上着のポケットやズボンのポケットに入る様に、全体の長さを６センチ以上１０センチ以下にした。【選択図】図１
0003220839.tif 000002
【実用新案登録請求の範囲】
【請求項１】
短い鉛筆の筆記用具。
【請求項２】
短い万年筆の筆記用具。
【請求項３】
短いシャープペンシルの筆記用具。
【請求項４】
短いボールペンの筆記用具。
【請求項５】
短いサインペンの筆記用具。
【考案の詳細な説明】
【技術分野】
【０００１】  この考案は、手に収まる様な、コンパクトなサイズの、短い筆記用具に関するものである。
【背景技術】
【０００２】  従来、手に馴染む、握りやすい筆記用具ばかりで、手に収まる様な、コンパクトなサイズの、短い筆記用具が無かった。
【考案の概要】
【考案が解決しようとする課題】
【０００３】  これは、次のような欠点があった。
従来、手に馴染む、握りやすい筆記用具ばかりで、上着のポケットやズボンのポケットに入らず、メモなどに記入する時、時間が掛かっていた。
本考案は、以上のような欠点をなくすためになされたものである。
【課題を解決するための手段】
【０００４】  手に収まる様な、コンパクトなサイズの、短い筆記用具で書く。
本考案は、以上の構成よりなる、短い筆記用具である。
【考案の効果】
【０００５】  手に収まる様な、コンパクトなサイズの、短い筆記用具で書くので、上着のポケットやズボンのポケットに入り、直ぐに書ける。
【図面の簡単な説明】
【０００６】
【図１】  本考案の短い筆記用具である。
【図２】  従来の筆記用具である。
【考案を実施するための形態】
【０００７】  以下、本考案を実施するための形態について説明する。
手に収まる様な、コンパクトなサイズの、短い筆記用具で書く。
本考案は、以上のような構成である筆記用具である。
短い筆記用具で書くので、上着のポケットやズボンのポケットに入り、直ぐに書ける。
【符号の説明】
【０００８】  １  短い筆記用具
２  従来の筆記用具
３  手
【図１】
0003220839.tif 000003
【図２】
0003220839.tif 000004
【手続補正書】
【提出日】平成31年1月21日(2019.1.21)
【手続補正１】
【補正対象書類名】実用新案登録請求の範囲
【補正対象項目名】全文
【補正方法】変更
【補正の内容】
【実用新案登録請求の範囲】
【請求項１】
全体の長さが手の平に納まる大きさで、コンパクトなサイズの上着のポケットやズボンのポケットに入る様に、全体の長さを６センチ以上１０センチ以下にした短い鉛筆の筆記用具。
【請求項２】
全体の長さが手の平に納まる大きさで、コンパクトなサイズの上着のポケットやズボンのポケットに入る様に、全体の長さを６センチ以上１０センチ以下にした短い万年筆の筆記用具。
【請求項３】
全体の長さが手の平に納まる大きさで、コンパクトなサイズの上着のポケットやズボンのポケットに入る様に、全体の長さを６センチ以上１０センチ以下にした短いシャープペンシルの筆記用具。
【請求項４】
全体の長さが手の平に納まる大きさで、コンパクトなサイズの上着のポケットやズボンのポケットに入る様に、全体の長さを６センチ以上１０センチ以下にした短いボールペンの筆記用具。
【請求項５】
全体の長さが手の平に納まる大きさで、コンパクトなサイズの上着のポケットやズボンのポケットに入る様に、全体の長さを６センチ以上１０センチ以下にした短いサインペンの筆記用具。
(57)【要約】      （修正有）【課題】親指と人差し指のみで、物を掴む事や離す事が出来る、介護箸に装着装置を取り付けた簡易式手用装具を提供する。【解決手段】反り返る素材の介護箸本体１に、親指３と人差し指４を装着するための、例えば、面ファスナーなどの装着装置２を備える。開く（反り返る）時には、本体１が広がって元へ戻り、物を離す事ができ、掴む時には、本体１が狭まり物を掴む事が出来る。【選択図】図１
0003220841.tif 000002
【実用新案登録請求の範囲】
【請求項１】
親指（３）と人差し指（４）用の、介護箸に装着装置を取り付けた簡易式手用装具。
【考案の詳細な説明】
【技術分野】
【０００１】  この考案は、本体（１）に、親指（３）と人差し指（４）に、装着装置（２）を装着させ、反り返る素材で親指（３）と人差し指（４）のみで、物を掴む事や離す事が出来る、介護箸に装着装置を取り付けた簡易式手用装具に関するものである。
【背景技術】
【０００２】  従来、脳卒中になった場合、一般的に、手を握る事は出来ても（いわゆるグー）、手を開く（反り返す）事は出来ない（いわゆるパー）。それで、手を握り締めたままで、開く事は出来なかった。
【考案の概要】
【考案が解決しようとする課題】
【０００３】  これは、次のような欠点があった。
従来、脳卒中になった場合、一般的に、手を握る事は出来ても（いわゆるグー）、手を開く（反り返す）事は出来ない（いわゆるパー）。介護用箸（実用新案登録）の様な食器は、あるにはあったが、食事の時のみ使う物で、常時、身に着ける物はなかった。
本考案は、以上のような欠点をなくすためになされたものである。
【課題を解決するための手段】
【０００４】  まず、本体（１）に、親指（３）と人差し指（４）に、例えば、マジックテープ（登録商標）とかで、装着装置（２）を装着させる。この時、開く（反り返る）時には、本体（１）が広がって元へ戻り、物を離す事ができ（図２参照）、掴む時には、本体（１）が狭まり物を掴む事が出来るのである（図３参照）。
尚、本体（１）は、金属製とかポリエチレンとかポリプロピレンとかポリ塩化ビニルとか、反り返る素材の物であれば、何でも良い。
本考案は、以上の構成よりなる、介護箸に装着装置を取り付けた簡易式手用装具である。
【考案の効果】
【０００５】  この、介護箸に装着装置を取り付けた簡易式手用装具のおかげで、指で物を掴んだり、離す事ができ、脳卒中などの治療やリハビリにも、効果がある。
【図面の簡単な説明】
【０００６】
【図１】  本考案の全体の説明図である。
【図２】  本考案の指を広げた状態を示した説明図である。
【図３】  本考案の指を狭めた状態を示した説明図である。
【図４】  本考案の斜視図である。
【考案を実施するための形態】
【０００７】  以下、本考案を実施するための形態について説明する。
本体（１）に、親指（３）と人差し指（４）に、例えば、マジックテープ（登録商標）とかで、装着装置（２）を装着させる。
本考案は、以上のような構成である、介護箸に装着装置を取り付けた簡易式手用装具である。
親指（３）と人差し指（４）のみで、物を掴む事や離す事が出来るので、形状が簡単で直ぐに装着する事ができ、しかも安価である。
【符号の説明】
【００８】  １  本体
２  装着装置
３  親指
４  人差し指
５  手
【図１】
0003220841.tif 000003
【図２】
0003220841.tif 000004
【図３】
0003220841.tif 000005
【図４】
0003220841.tif 000006
【手続補正書】
【提出日】平成31年1月21日(2019.1.21)
【手続補正１】
【補正対象書類名】実用新案登録請求の範囲
【補正対象項目名】全文
【補正方法】変更
【補正の内容】
【実用新案登録請求の範囲】
【請求項１】
介護箸に、親指（３）を介護箸に装着させる装着装置と、人差し指（４）を介護箸に装着させる装着装置とが備えられたことを特徴とする簡易式手用装具。